【事件の表示】
　特願２００２−３４２２０４「パチンコ遊技機」拒絶査定不服審判事件〔平成１６年　６月２４日出願公開、特開２００４−１７３８３４〕について、次のとおり審決する。
【結　論】
　本件審判の請求は、成り立たない。
【理　由】
 １．手続の経緯
　本願は、平成１４年１１月２６日の出願であって、平成２１年６月８日付け（発送：６月１６日）で拒絶査定され、これに対し、同年７月７日に拒絶査定不服審判の請求がなされ、同日付けで手続補正がなされたものである。
　その後、当審において、平成２２年１月２７日付けで審査官の前置報告書に基づく審尋がなされ、平成２２年２月２２日付けで回答書が提出された。
　
２．補正の内容
　平成２１年７月７日付けの手続補正（以下、「本件補正」という。）により、特許請求の範囲は、
「【請求項１】特定入賞口へのパチンコ玉の入賞により発生する抽選権利に基づいて表示態様が変動する抽選用表示動作を実行する抽選結果表示手段と、
　前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段と、
　前記抽選結果表示手段が前記抽選用表示動作を実行可能な期間において前記保留玉数に応じた抽選権利を履行すると共に前記計数手段の計数値を減少させる抽選権利制御手段とを備え、
　前記抽選結果表示手段に表示された抽選結果が大当たりであったときに入賞率を高めた特賞状態を呈するパチンコ遊技機において、
　前記特賞状態を呈した期間中に前記特定入賞口へのパチンコ玉の入賞確率を通常時より高めた状態に切替える入賞確率変更手段を備え、
　前記保留玉数が予め決められたしきい値以上である期間には、前記抽選結果が大当たりとなる確率が高められる確率変動状態へ移行し、前記保留玉数が当該しきい値未満である期間には、当該確率変動状態よりも前記大当たりとなる確率が低い通常状態へ移行することにより、前記特賞状態を呈していない期間において前記大当たりとなる確率が変動することを特徴とするパチンコ遊技機。
　【請求項２】前記確率変動状態でパチンコ玉が前記特定入賞口へ入賞したことにより発生した保留玉と、前記通常状態でパチンコ玉が前記特定入賞口へ入賞したことにより発生した保留玉とが区別できるように前記保留玉数を表示する保留玉数表示エリアを備えたことを特徴とする請求項１記載のパチンコ遊技機。
　【請求項３】動作状態で前記特定入賞口へのパチンコ玉の入賞確率を高めた状態を呈する役物を備え、
　前記入賞確率変更手段は、前記特賞状態を呈した期間中に前記役物の動作時間を制御することにより、前記特定入賞口へのパチンコ玉の入賞確率を高めた状態に切替えることを特徴とする請求項１記載のパチンコ遊技機。
　【請求項４】前記大当たりの態様として、第１の大当たりと第２の大当たりが設定され、
　前記入賞確率変更手段は、前記特定入賞口へのパチンコ玉の入賞確率を、前記第１の大当たりにより前記特賞状態を呈した期間中の方が前記第２の大当たりにより前記特賞状態を呈した期間中に比べて高くなるように切替えることを特徴とする請求項１記載のパチンコ遊技機。」
に補正された。
　
　本件補正は、補正前（平成２０年１２月２５日付け手続補正、以下同じ。）の請求項１に「により、前記特賞状態を呈していない期間において前記大当たりとなる確率が変動すること」という事項を追加することにより、「前記保留玉数が予め決められたしきい値以上である期間には、前記抽選結果が大当たりとなる確率が高められる確率変動状態へ移行し、前記保留玉数が当該しきい値未満である期間には、当該確率変動状態よりも前記大当たりとなる確率が低い通常状態へ移行する」という発明特定事項の作用を明らかとしたものであり、この補正は明りょうでない記載の釈明に当たるものと認められる。
　
　したがって、本件補正は、平成１８年法律第５５号改正附則第３条第１項によりなお従前の例によるとされる同法による改正前の特許法第１７条の２第４項の規定に違反しないので補正は認められる。
　
　なお、本件補正で請求項１に追加された「前記特賞状態を呈していない期間において前記大当たりとなる確率が変動すること」について、発明の詳細な説明の段落００４９乃至００５３の記載からすると、大当たりとなる確率が変動する期間は、「前記特賞状態を呈していない期間」のみではなく、「少なくとも前記特賞状態を呈していない期間」であり、「前記特賞状態を呈していない期間」のみと解釈すると新たな技術事項を追加することとなるため、「前記特賞状態を呈していない期間において前記大当たりとなる確率が変動すること」は、「少なくとも前記特賞状態を呈していない期間において前記大当たりとなる確率が変動すること」であると解釈して、以下、新規性・進歩性について判断をする。
　
３．引用文献に記載された発明
　原査定の拒絶の理由（平成２１年３月１６日付け拒絶理由通知）において引用文献４として引用された特開平９−２８５６１４号公報（以下、「引用例４」という。）には、図面とともに、以下の事項が記載されている。
　
（ア）「【００１０】その遊技領域１９のほぼ中央部には、複数の図柄を介して変動表示ゲームを行う液晶表示の図柄表示装置Ｌが配置してあり、この図柄表示装置Ｌは特別図柄表示部Ｌ１、Ｌ２、Ｌ３を備える。この特別図柄表示部Ｌ１、Ｌ２、Ｌ３に表示可能な図柄は「０〜９」の１０種類の図柄であり、図柄変動は順序通り行う。
　尚、特別図柄表示部Ｌ１、Ｌ２、Ｌ３の上部には、特別図柄記憶手段としての特別図柄記憶表示部ＬR（４個のＬＥＤ）が配置してあり、後記で詳述するように、記憶している特別図柄変動回数を示す。
　【００１１】図柄表示装置Ｌの下部には、特別図柄始動口（チューリップ式の普通電動役物）Ａが配設してあり、遊技球が特別図柄始動口Ａに入賞すると特別図柄始動信号を発生して、後記で詳述する制御方式で特別図柄表示部Ｌ１、Ｌ２、Ｌ３が変動表示を開始し、判定カウンタＨｃによって、リーチか、大当たり（特別遊技状態）か、外れかを選定すると共に、それらに対応して特別図柄表示部Ｌ１、Ｌ２、Ｌ３の図柄は所定時間後（通常状態中は８〜２５秒後、優遇状態中は３〜５秒後）に停止表示する。
　【００１２】前記特別図柄始動口（普通電動役物）Ａの左右上部には、普通図柄始動ゲート２３ａ、２３ｂが備えてあり、遊技球が通過すると後述の大入賞口５８に付設の普通図柄表示器５６の図柄が変動を開始し、後記で詳述する所定時間経過後（通常状態中は３０秒後、優遇状態中は５秒後）に停止し、その停止図柄が予め設定した図柄と一致したとき当たりとなり、前記特別図柄始動口Ａを所定時間開成して、遊技球が入賞すると特別図柄の変動を行う。
　尚、この普通図柄表示器５６の周囲には、普通図柄記憶表示器５６ａ（８個のＬＥＤ）が配置してあり、図柄変動中に普通図柄始動ゲート２３ａ、２３ｂを通過した遊技球を最大４個まで記憶すると共に普通図柄記憶表示器５６ａを２個毎点灯して図柄変動の残りの回数を示す。
　【００１３】そして、大当たりが選定されたときには、特別図柄表示部Ｌ１、Ｌ２、Ｌ３に大当たり図柄、例えば、「７７７」を表示し、大入賞口５８の開閉扉５８ａは、ｔ秒間、開成を維持するか、遊技球がａ個入賞すると閉成する。又、前記開閉扉５８ａが開成中に、大入賞口５８内に設けられている特定領域（図示略）を遊技球が通過すると、大入賞口５８が再度開成し、この動作を最大Ｘ回行って、多量の賞品球の払出しを可能とする。」
　
（イ）「【００１８】（ロ）特別図柄表示部Ｌ１〜Ｌ３の表示態様（図３）　この特別図柄表示部Ｌ１〜Ｌ３の表示は、通常状態中と優遇状態中において行うものであり（大当たり中は行わない）、優遇状態中においての図柄変動時間は通常状態中より短縮して行う。
　遊技球が特別図柄始動口Ａに入賞したか否かを検出する（Ｓ１）。そして、遊技球が特別図柄始動口Ａに入賞したときには、判定カウンタＨｃの値が「７」（確率１／２５０）であるか、即ち、大当たりか否かの判定を行う（Ｓ２）。
　そして、次に、特別図柄記憶手段としての特別図柄始動記憶部（第０〜４エリア）の格納状態（内容）の検定を行う（Ｓ３）。この特別図柄始動記憶部（第０エリア）には、現在の図柄変動中の状態を記憶し、第１〜４のエリアには、特別図柄表示部Ｌ１〜Ｌ３の図柄変動中に特別図柄始動口Ａに入賞したとき、大当たりか否かの判定結果を最大４回、記憶可能とする。従って、特別図柄始動記憶部には、現在変動中を含めて５回の判定結果を記憶可能であり、既に５エリアとも記憶しているときには、前記判定結果を無視してステップ７へ進む。
　【００１９】他方、特別図柄始動記憶部の格納数が５未満であるときには、前記判定結果を付加格納し（Ｓ４）、特別図柄記憶表示部ＬRを１個、追加点灯する（Ｓ５）。即ち、特別図柄記憶表示部ＬRの点灯数は、前記特別図柄始動記憶部に格納されている数、即ち、特別図柄変動の残りの回数である。
　一方、前記ステップ１で、特別図柄始動口Ａに入賞しないときには、特別図柄始動記憶部の各エリアに判定結果がないか否かを検定し（Ｓ６）、ない場合には主ルーティンに戻るが、ある場合にはステップ７に進む。
　【００２０】ステップ７では、特別図柄表示部Ｌ１〜Ｌ３の図柄が変動中であるか否かを判定し、変動中であるときには主ルーティンに戻って変動を継続するが、特別図柄変動が停止中のときには、特別図柄表示部Ｌ１〜Ｌ３の図柄を変動開始し、特別図柄記憶表示部ＬRを１個消灯して残りの図柄変動回数を示すと共に、特別図柄始動記憶部（第０〜４エリア）の値をシフト（第１エリアの値を第０エリアに、第２エリアの値を第１エリアに、…）する。
　以上の処理過程で、特別図柄表示部Ｌ１〜Ｌ３の図柄変動の処理を開始すると共に、順次、残りの回数の処理を行う。」
　
（ウ）「【００２５】（第５の実施の形態）本実施の形態の優遇状態の設定は、大当たりが終了後に実行するものであり（図２中のＳ５５）、図８を参照して説明するが、前記第２〜４の実施の形態と異なり、特別図柄表示部Ｌ１〜Ｌ３と普通図柄表示器５６の図柄変動時間は通常状態を維持するが、特別図柄記憶手段としての特別図柄始動記憶部の格納数（又は、特別図柄記憶表示部ＬＲの点灯数）によって、次の大当たりが生起する確率を変更する。
　具体的に例示すると、大当たりが生起したときには、特別図柄記憶手段としての特別図柄始動記憶部の格納数（又は、特別図柄記憶表示部ＬRの点灯数）が「０」のときには１／２５０で同じとする。しかし、特別図柄記憶手段の格納数が「１」のときには１／２３０、「２」のときには１／２００、「３」のときには１／１８０、「４」のときには１／１５０と、順次、高確率とする。
　従って、遊技者は、このような条件においても、特別図柄記憶表示部ＬＲの点灯数を多くするように遊技をなす。」
　
　以上、（ア）乃至（ウ）の記載、及び図面を総合すると、引用例４には、
「特別図柄始動口Ａに遊技球が入賞すると、判定カウンタＨｃによって、リーチか、大当たり（特別遊技状態）か、外れかを選定すると共に、大当たりか否かの判定結果を特別図柄始動記憶部に記憶可能とし、それらに対応して変動表示を開始し所定時間後に停止表示する特別図柄表示部Ｌ１、Ｌ２、Ｌ３と、
　特別図柄始動口Ａへの遊技球の入賞が、大当たり中、及び特別図柄表示部Ｌ１、Ｌ２、Ｌ３の図柄変動中に発生した場合に、大当たりか否かの判定結果を特別図柄始動記憶部に最大４回、記憶可能とし、
　特別図柄表示部Ｌ１、Ｌ２、Ｌ３の特別図柄変動が停止中のときには、特別図柄表示部Ｌ１、Ｌ２、Ｌ３の図柄を変動開始し、特別図柄記憶表示部ＬＲを１個消灯して、特別図柄始動記憶部の値をシフトし、
　大当たりが選定されたときには、特別図柄表示部Ｌ１、Ｌ２、Ｌ３に大当たり図柄を表示し、大入賞口５８の開閉扉５８ａをｔ秒間、又は、遊技球がａ個入賞するまで開成を維持し、前記開閉扉５８ａが開成中に、大入賞口５８内に設けられている特定領域を遊技球が通過すると、大入賞口５８が再度開成し、この動作を最大Ｘ回行って、多量の賞品球の払出しを可能とするパチンコ機において、
　大当たりが生起したときには、特別図柄始動記憶部の格納数が「０」のときには１／２５０、「１」のときには１／２３０、「２」のときには１／２００、「３」のときには１／１８０、「４」のときには１／１５０と、次の大当たりが生起する確率を変更するパチンコ機。」
の発明（以下、「引用発明４」という。）が開示されていると認めることができる。
　
４．対比
　引用発明４と本願補正後の請求項１に係る発明（以下、「本願補正発明」という。）とを対比する。
　引用発明４の「特別図柄始動口Ａ」、「遊技球」、「判定結果」、「変動表示を開始し所定時間後に停止表示する」、「特別図柄表示部Ｌ１、Ｌ２、Ｌ３」、「大当たり中、及び特別図柄表示部Ｌ１、Ｌ２、Ｌ３の図柄変動中」、「特別図柄変動が停止中のとき」、「大当たりが選定」、「大入賞口５８の開閉扉５８ａをｔ秒間、又は、遊技球がａ個入賞するまで開成を維持し、前記開閉扉５８ａが開成中に、大入賞口５８内に設けられている特定領域を遊技球が通過すると、大入賞口５８が再度開成し、この動作を最大Ｘ回行って、多量の賞品球の払出しを可能とする」こと、「パチンコ機」、「特別図柄始動記憶部の格納数」、「次の大当たりが生起する確率を変更する」は、それぞれ本願補正発明の「特定入賞口」、「パチンコ玉」、「抽選権利」、「表示態様が変動する抽選用表示動作を実行する」、「抽選結果表示手段」、「抽選権利に基づく前記抽選用表示動作を実行することが不可能な期間」、「抽選用表示動作を実行可能な期間」、「抽選結果が大当たり」、「入賞率を高めた特賞状態」、「パチンコ遊技機」、「保留玉数」、「大当たりとなる確率が変動する」に相当する。
　
　上記（イ）には、大当たり中、図柄変動中に遊技球が特別図柄始動口Ａに入賞した場合には、大当たりか否かの判定結果を最大４回、記憶可能とすることが記載されているから、引用例４には、「前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段」が記載されているといえる。
　上記（イ）には、特別図柄変動が停止中のときには、特別図柄表示部Ｌ１〜Ｌ３の図柄を変動開始し、特別図柄記憶表示部ＬRを１個消灯して残りの図柄変動回数を示すと共に、特別図柄始動記憶部（第０〜４エリア）の値をシフト（第１エリアの値を第０エリアに、第２エリアの値を第１エリアに、…）することが記載されているから、引例例４には、「前記抽選結果表示手段が前記抽選用表示動作を実行可能な期間において前記保留玉数に応じた抽選権利を履行すると共に前記計数手段の計数値を減少させる抽選権利制御手段」が記載されているといえる。
　
　以上を総合すると両者は、
「特定入賞口へのパチンコ玉の入賞により発生する抽選権利に基づいて表示態様が変動する抽選用表示動作を実行する抽選結果表示手段と、
　前記特定入賞口へのパチンコ玉の入賞が、当該入賞により発生した抽選権利に基づく前記抽選用表示動作を実行することが不可能な期間に発生した場合に、その入賞パチンコ玉数を抽選権利数に対応した保留玉数として計数する計数手段と、
　前記抽選結果表示手段が前記抽選用表示動作を実行可能な期間において前記保留玉数に応じた抽選権利を履行すると共に前記計数手段の計数値を減少させる抽選権利制御手段とを備え、
　前記抽選結果表示手段に表示された抽選結果が大当たりであったときに入賞率を高めた特賞状態を呈するパチンコ遊技機において、
　前記保留玉数により、前記大当たりとなる確率が変動することを特徴とするパチンコ遊技機。」
の点で一致し、以下の点で相違する。
　
［相違点１] 本願補正発明では、前記特賞状態を呈した期間中に前記特定入賞口へのパチンコ玉の入賞確率を通常時より高めた状態に切替える入賞確率変更手段を備えているのに対して、引用発明４では、当該手段を備えていない点。
　
［相違点２］本願補正発明では、保留玉数が予め決められたしきい値以上である期間には、抽選結果が大当たりとなる確率が高められる確率変動状態に移行し、保留玉数がしきい値未満である期間には、当該確率変動状態よりも前記大当たりとなる確率が低い通常状態へ移行することにより、少なくとも特賞状態を呈していない期間において大当たりとなる確率が変動するのに対して、引用発明４では、大当たりが生起した時点の保留玉数に応じて、その後の抽選結果が大当たりとなる確率を変動している点。
　
５．判断
（１）相違点１について
　特賞状態を呈した期間中に特定入賞口へのパチンコ玉の入賞確率を通常時より高めた状態に切替える入賞確率変更手段を備えたパチンコ遊技機は周知技術（例えば、原査定の拒絶の理由（平成２１年３月１６日付け拒絶理由通知）において引用文献１として引用された特開２００２−３１５９０５号公報（特に、段落００２４、００２５、００４０、００４１を参照。））であり、引用発明４の特別図柄始動口は入賞確率変更手段を備えているから前記周知技術を引用発明４に採用して相違点１に係る発明の構成とすることは当業者が容易になし得たことである。
　
（２）相違点２について
　保留玉数が予め決められたしきい値以上である期間には、抽選用表示動作の変動時間を短縮し、保留玉数がしきい値未満である期間には、当該変動時間を短縮しないパチンコ遊技機は周知技術（例えば、特開２０００−１０７３９４号公報（特に、段落００４１を参照。）、特開２００１−１６１９５７号公報（特に、段落００３６を参照。））である。そして、遊技者への特典として、抽選結果表示手段の変動時間の短縮と、大当たりとなる確率の変動とは、当業者が適宜選択し得る事項であることは周知の事項（例えば、特開２００２−１５９６８２号公報（特に、段落０００４、００３０、００３１、００７０を参照。）、特開平９−３１３６８５号公報（特に、段落００３９を参照。））であるから、引用発明４における次の大当たりが生起する確率の変動の契機として前記周知技術の契機を採用して、その契機を保留玉数が予め決められたしきい値以上であるか未満であるかとして、少なくとも特賞状態を呈していない期間において大当たりとなる確率を変動させて、相違点２に係る発明の構成とすることは当業者が容易になし得たことである。
　
６．まとめ
　以上のように相違点１及び２は、いずれも当業者が容易に想到し得るものであり、本願補正発明の作用効果も、引用発明４および周知技術に基づいて当業者が予測できる範囲のものである。
　よって、本願補正発明は、引用発明４及び周知技術に基づいて、当業者が容易に発明をすることができたものであるから、特許法第２９条第２項の規定により特許を受けることができない。
　
　したがって、本願は、他の請求項について検討するまでもなく、拒絶されるべきものである。